(57)【要約】【課題】展示会場での出展者の展示品の詳細データと見学者の個人データの交換をスムーズに行う。【解決手段】展示会場で展示品を出展する出展者により管理運営されるＰＣサーバ１は、出展者データをコントロールユニット２を介して情報ユニット３の光ビーコン６−１乃至６−６の発光タイミングを調整して出力させる。見学者は、興味を持った展示部５を携帯端末１１の操作部２３を操作してＩＤ認識カメラ２１により撮像した静止画像を記録する。また、このとき携帯端末１１は、情報ユニット１２を制御して個人データを出力させる。ＰＣサーバ１は、ＩＤ認識カメラ２１を制御して、情報ユニット１２から出力されている個人データを取得する。このタイミングで、ＰＣサーバ１は、コントロールユニット２を制御して、情報ユニット３から展示物５の詳細データを携帯端末１１に対して出力させる。本発明は、展示会などの情報交換システムに適応することができる。【選択図】　　　図１
2004015448.tif 000002
【特許請求の範囲】
【請求項１】
他の情報処理装置に所定のデータを配信する情報処理装置において、
前記所定のデータに対応した点滅パターンを発生するパターン発生手段と、
前記パターン発生手段により発生された前記点滅パターンで発光する発光手段と、
第１のデータと第２のデータを記憶するデータ記憶手段と、
前記他の情報処理装置により制御されて発光する点滅パターンを撮像する撮像手段と、
前記撮像手段により撮像された点滅パターンを解析する解析手段とを備え、
前記解析手段の解析結果が、前記第１のデータに対応する第３のデータである場合、前記パターン発生手段は、前記第２のデータに対応した点滅パターンを発生する
ことを特徴とする情報処理装置。
【請求項２】
前記第１のデータは、展示会の展示物を出展した出展者の出展者データを含む
ことを特徴とする請求項１に記載の情報処理装置。
【請求項３】
前記出展者データは、前記展示物、または、前記出展者に関するアンケートフォームを含む
ことを特徴とする請求項２に記載の情報処理装置。
【請求項４】
前記第１のデータに対応した第３のデータは、前記アンケートフォームの応答を含む
ことを特徴とする請求項３に記載の情報処理装置。
【請求項５】
前記第２のデータは、展示会の展示物の詳細データを含む
ことを特徴とする請求項１に記載の情報処理装置。
【請求項６】
前記第３のデータは、展示会の展示物に興味を持った見学者の個人データを含む
ことを特徴とする請求項１に記載の情報処理装置。
【請求項７】
他の情報処理装置に所定のデータを配信する情報処理装置の情報処理方法において、
前記所定のデータに対応した点滅パターンを発生するパターン発生ステップと、
前記パターン発生ステップの処理で発生された前記点滅パターンで発光する発光ステップと、
第１のデータと第２のデータを記憶するデータ記憶ステップと、
前記他の情報処理装置により制御されて発光する点滅パターンを撮像する撮像ステップと、
前記撮像ステップの処理で撮像された点滅パターンを解析する解析ステップとを含み、
前記解析ステップの処理での解析結果が、前記第１のデータに対応する第３のデータである場合、前記パターン発生ステップの処理は、前記第２のデータに対応した点滅パターンを発生する
ことを特徴とする情報処理方法。
【請求項８】
他の情報処理装置に所定のデータを配信する情報処理装置を制御するプログラムであって、
前記所定のデータに対応した点滅パターンの発生を制御するパターン発生制御ステップと、
前記パターン発生制御ステップの処理で発生された前記点滅パターンでの発光を制御する発光制御ステップと、
第１のデータと第２のデータの記憶を制御するデータ記憶制御ステップと、
前記他の情報処理装置により制御されて発光する点滅パターンの撮像を制御する撮像制御ステップと、
前記撮像制御ステップの処理で撮像が制御された点滅パターンの解析を制御する解析制御ステップとを含み、
前記解析制御ステップの処理での解析結果が、前記第１のデータに対応する第３のデータである場合、前記パターン発生制御ステップの処理は、前記第２のデータに対応した点滅パターンを発生する
ことを特徴とするコンピュータが読み取り可能なプログラムが記録されている記録媒体。
【請求項９】
他の情報処理装置に所定のデータを配信する情報処理装置を制御するコンピュータに、
前記所定のデータに対応した点滅パターンの発生を制御するパターン発生制御ステップと、
前記パターン発生制御ステップの処理で発生された前記点滅パターンでの発光を制御する発光制御ステップと、
第１のデータと第２のデータの記憶を制御するデータ記憶制御ステップと、
前記他の情報処理装置により制御されて発光する点滅パターンの撮像を制御する撮像制御ステップと、
前記撮像制御ステップの処理で撮像が制御された点滅パターンの解析を制御する解析制御ステップとを実行させ、
前記解析制御ステップの処理での解析結果が、前記第１のデータに対応する第３のデータである場合、前記パターン発生制御ステップの処理は、前記第２のデータに対応した点滅パターンを発生する
ことを特徴とするプログラム。
【請求項１０】
他の情報処理装置よりデータの配信を受ける情報処理装置において、
前記他の情報処理装置により制御されて発光する点滅パターンを撮像する撮像手段と、
前記撮像手段により撮像された点滅パターンを解析する解析手段と、
前記解析手段の解析結果が第１のデータである場合、前記第１のデータを蓄積する蓄積手段と、
前記解析手段の解析結果が第１のデータである場合、前記第１のデータに対応した第２のデータを生成する生成手段と、
前記第２のデータに対応した点滅パターンを発生するパターン発生手段と、
前記パターン発生手段により発生された点滅パターンで発光する発光手段とを備え、
前記解析手段の解析結果が、前記第２のデータに対応した第３のデータである場合、前記蓄積手段は、前記第１のデータに加えて、前記第３のデータを蓄積する
ことを特徴とする情報処理装置。
【請求項１１】
前記第１のデータは、展示会の展示物を出展した出展者の出展者データを含む
ことを特徴とする請求項１０に記載の情報処理装置。
【請求項１２】
前記出展者データは、前記展示物、または、前記企業に関するアンケートフォームを含む
ことを特徴とする請求項１１に記載の情報処理装置。
【請求項１３】
前記第１のデータに対応した第２のデータは、前記アンケートフォームの応答を含む
ことを特徴とする請求項１２に記載の情報処理装置。
【請求項１４】
前記第２のデータは、展示会の展示物に興味を持った見学者の個人データを含む
ことを特徴とする請求項１０に記載の情報処理装置。
【請求項１５】
前記第３のデータは、展示会の展示物の詳細データを含む
ことを特徴とする請求項１０に記載の情報処理装置。
【請求項１６】
前記撮像手段は、前記点滅パターンに加えて、前記他の情報処理装置を含む範囲の静止画像を撮像し、
前記蓄積手段は、前記第３のデータ、前記第１のデータ、および、前記静止画像を対応付けて蓄積する
ことを特徴とする請求項１０に記載の情報処理装置。
【請求項１７】
前記蓄積手段により対応付けて蓄積されている前記第３のデータ、前記第１のデータ、および、前記静止画像を所定の形式に変換する変換手段とをさらに備える
ことを特徴とする請求項１６に記載の情報処理装置。
【請求項１８】
前記変換手段は、前記蓄積手段により対応付けて蓄積されている前記第３のデータ、前記第１のデータ、および、前記静止画像をｈｔｍｌの形式に変換する
ことを特徴とする請求項１７に記載の情報処理装置。
【請求項１９】
他の情報処理装置よりデータの配信を受ける情報処理装置の情報処理方法において、
前記他の情報処理装置により制御されて発光する点滅パターンを撮像する撮像ステップと、
前記撮像ステップの処理で撮像された点滅パターンを解析する解析ステップと、
前記解析ステップの処理での解析結果が第１のデータである場合、前記第１のデータを蓄積する蓄積ステップと、
前記解析ステップの処理での解析結果が第１のデータである場合、前記第１のデータに対応した第２のデータを生成する生成ステップと、
前記第２のデータに対応した点滅パターンを発生するパターン発生ステップと、
前記パターン発生ステップの処理で発生された点滅パターンで発光する発光ステップとを含み、
前記解析ステップの処理での解析結果が、前記第２のデータに対応した第３のデータである場合、前記蓄積ステップの処理は、前記第１のデータに加えて、前記第３のデータを蓄積する
ことを特徴とする情報処理方法。
【請求項２０】
他の情報処理装置よりデータの配信を受ける情報処理装置を制御するプログラムであって、
前記他の情報処理装置により制御されて発光する点滅パターンの撮像を制御する撮像制御ステップと、
前記撮像制御ステップの処理で撮像された点滅パターンの解析を制御する解析制御ステップと、
前記解析制御ステップの処理での解析結果が第１のデータである場合、前記第１のデータの蓄積を制御する蓄積制御ステップと、
前記解析制御ステップの処理での解析結果が第１のデータである場合、前記第１のデータに対応した第２のデータの生成を制御する生成制御ステップと、
前記第２のデータに対応した点滅パターンの発生を制御するパターン発生制御ステップと、
前記パターン発生制御ステップの処理で発生された点滅パターンでの発光を制御する発光制御ステップとを含み、
前記解析制御ステップの処理での解析結果が、前記第２のデータに対応した第３のデータである場合、前記蓄積制御ステップの処理は、前記第１のデータに加えて、前記第３のデータの蓄積を制御する
ことを特徴とするコンピュータが読み取り可能なプログラムが記録されている記録媒体。
【請求項２１】
他の情報処理装置よりデータの配信を受ける情報処理装置を制御するコンピュータに、
前記他の情報処理装置により制御されて発光する点滅パターンの撮像を制御する撮像制御ステップと、
前記撮像制御ステップの処理で撮像された点滅パターンの解析を制御する解析制御ステップと、
前記解析制御ステップの処理での解析結果が第１のデータである場合、前記第１のデータの蓄積を制御する蓄積制御ステップと、
前記解析制御ステップの処理での解析結果が第１のデータである場合、前記第１のデータに対応した第２のデータの生成を制御する生成制御ステップと、
前記第２のデータに対応した点滅パターンの発生を制御するパターン発生制御ステップと、
前記パターン発生制御ステップの処理で発生された点滅パターンでの発光を制御する発光制御ステップとを実行させ、
前記解析制御ステップの処理での解析結果が、前記第２のデータに対応した第３のデータである場合、前記蓄積制御ステップの処理は、前記第１のデータに加えて、前記第３のデータの蓄積を制御する
ことを特徴とするプログラム。
【請求項２２】
所定のデータを配信する第１の情報処理装置と、前記第１の情報処理装置により配信された所定のデータの配信を受ける第２の情報処理装置からなる情報処理システムにおいて、
前記第１の情報処理装置は、
前記所定のデータに対応した点滅パターンを発生する第１のパターン発生手段と、
前記第１のパターン発生手段により発生された前記点滅パターンで発光する第１の発光手段と、
第１のデータと第２のデータを記憶するデータ記憶手段と、
前記第２の情報処理装置により制御されて発光する点滅パターンを撮像する第１の撮像手段と、
前記第１の撮像手段により撮像された点滅パターンを解析する第１の解析手段とを備え、
前記第１の解析手段の解析結果が、前記第１のデータに対応する第３のデータである場合、前記第１のパターン発生手段は、前記第２のデータに対応した点滅パターンを発生し、
前記第２の情報処理装置は、
前記第１の情報処理装置により制御されて発光する点滅パターンを撮像する第２の撮像手段と、
前記第２の撮像手段により撮像された点滅パターンを解析する第２の解析手段と、
前記第２の解析手段の解析結果が第１のデータである場合、前記第１のデータを蓄積する蓄積手段と、
前記第２の解析手段の解析結果が第１のデータである場合、前記第１のデータに対応した第２のデータを生成する生成手段と、
前記第２のデータに対応した点滅パターンを発生する第２のパターン発生手段と、
前記第２のパターン発生手段により発生された点滅パターンで発光する第２の発光手段とを備え、
前記第２の解析手段の解析結果が、前記第２のデータに対応した第３のデータである場合、前記蓄積手段は、前記第１のデータに加えて、前記第３のデータを蓄積する
ことを特徴とする情報処理システム。
【発明の詳細な説明】
【０００１】
【発明の属する技術分野】
本発明は、情報処理装置および方法、情報処理システム、記録媒体、並びにプログラムに関し、特に、展示会などで見学者と出展者との情報交換を円滑に行えるようにした情報処理装置および方法、情報処理システム、記録媒体、並びにプログラムに関する。
【０００２】
【従来の技術】
展示会などで、出展者が、見学者の個人データと交換に展示物についての情報を配布するシステムが一般に普及しつつある。
【０００３】
従来の展示会における展示物の詳細情報の配布は、以下のように行われていた。すなわち、まず、各見学者は、入場時に専用のフォーマットの用紙に個人データ（ｅ−ｍａｉｌアドレス、会社名等）の記入が求められ、所定の個人データが記入された用紙と引き換えに入場証が見学者に渡される。この入場証にはバーコードなどのラベルがつけられており、専用の読み取り装置で見学者の個人情報を読み取ることが可能となっている。そして、見学者が展示物のパンフレットなどを所望する場合、このラベルを出展者に渡し、出展者側に個人データを提供する代りに、出展者から展示物のパンフレットなどが配布される。
【０００４】
【発明が解決しようとする課題】
しかしながら、上述のようなシステムでは、出展者は、自らの展示物に興味を持った見学者の個人データを収集することができるというメリットが存在するものの、見学者にはその都度名刺を出さなくてもいいといった程度のメリットしかないという課題があった。
【０００５】
また、近年、展示会は、その規模が大きなものが増えており、所望の展示物を探すこと自体が困難な場合がある。この際、唯一補助となりえるものは展示場で受け取れる地図などであるが、見学者が、この地図を見ながら見学する際、展示会場が広いと所望とする展示物の見落としや、逆に１度見学した展示物を、再び見学してしまうと言う、いわゆる２度見などを引き起こしてしまうという課題があった。
【０００６】
さらに、最近では、デジタルカメラにより展示物の静止画像を撮像し、後の情報整理に使用するといった利用方法が普及している。しかしながら、展示会場から出て、さらに記憶もあいまいな状態となる後日において、写真の撮り方をよほどうまく行わない限り、撮影した写真をもとに情報を整理するのは多大な労力を要するという課題があった。
【０００７】
本発明はこのような状況に鑑みてなされたものであり、見学者に必要な情報と、出展者に必要な情報を円滑に相互交換できるようにし、さらに、見学者と出展者のそれぞれが取得した情報を整理して記録できるようにするものである。
【０００８】
【課題を解決するための手段】
本発明の第１の情報処理装置は、所定のデータに対応した点滅パターンを発生するパターン発生手段と、パターン発生手段により発生された点滅パターンで発光する発光手段と、第１のデータと第２のデータを記憶するデータ記憶手段と、他の情報処理装置により制御されて発光する点滅パターンを撮像する撮像手段と、撮像手段により撮像された点滅パターンを解析する解析手段とを備え、解析手段の解析結果が、第１のデータに対応する第３のデータである場合、パターン発生手段は、第２のデータに対応した点滅パターンを発生することを特徴とする。
【０００９】
前記第１のデータには、展示会の展示物を出展した出展者の出展者データを含ませるようにすることができる。
【００１０】
前記出展者データには、展示物、または、出展者に関するアンケートフォームを含ませるようにすることができる。
【００１１】
前記第１のデータに対応した第３のデータには、アンケートフォームの応答を含ませるようにすることができる。
【００１２】
前記第２のデータには、展示会の展示物の詳細データを含ませるようにすることができる。
【００１３】
前記第３のデータには、展示会の展示物に興味を持った見学者の個人データを含ませるようにすることができる。
【００１４】
本発明の第１の情報処理方法は、所定のデータに対応した点滅パターンを発生するパターン発生ステップと、パターン発生ステップの処理で発生された点滅パターンで発光する発光ステップと、第１のデータと第２のデータを記憶するデータ記憶ステップと、他の情報処理装置により制御されて発光する点滅パターンを撮像する撮像ステップと、撮像ステップの処理で撮像された点滅パターンを解析する解析ステップとを含み、解析ステップの処理での解析結果が、第１のデータに対応する第３のデータである場合、パターン発生ステップの処理は、第２のデータに対応した点滅パターンを発生することを特徴とする。
【００１５】
本発明の第１の記録媒体のプログラムは、所定のデータに対応した点滅パターンの発生を制御するパターン発生制御ステップと、パターン発生制御ステップの処理で発生された点滅パターンでの発光を制御する発光制御ステップと、第１のデータと第２のデータの記憶を制御するデータ記憶制御ステップと、他の情報処理装置により制御されて発光する点滅パターンの撮像を制御する撮像制御ステップと、撮像制御ステップの処理で撮像が制御された点滅パターンの解析を制御する解析制御ステップとを含み、解析制御ステップの処理での解析結果が、第１のデータに対応する第３のデータである場合、パターン発生制御ステップの処理は、第２のデータに対応した点滅パターンを発生することを特徴とする。
【００１６】
本発明の第１のプログラムは、所定のデータに対応した点滅パターンの発生を制御するパターン発生制御ステップと、パターン発生制御ステップの処理で発生された点滅パターンでの発光を制御する発光制御ステップと、第１のデータと第２のデータの記憶を制御するデータ記憶制御ステップと、他の情報処理装置により制御されて発光する点滅パターンの撮像を制御する撮像制御ステップと、撮像制御ステップの処理で撮像が制御された点滅パターンの解析を制御する解析制御ステップとを実行させ、解析制御ステップの処理での解析結果が、第１のデータに対応する第３のデータである場合、パターン発生制御ステップの処理は、第２のデータに対応した点滅パターンを発生することを特徴とする。
【００１７】
本発明の第２の情報処理装置は、他の情報処理装置により制御されて発光する点滅パターンを撮像する撮像手段と、撮像手段により撮像された点滅パターンを解析する解析手段と、解析手段の解析結果が第１のデータである場合、第１のデータを蓄積する蓄積手段と、解析手段の解析結果が第１のデータである場合、第１のデータに対応した第２のデータを生成する生成手段と、第２のデータに対応した点滅パターンを発生するパターン発生手段と、パターン発生手段により発生された点滅パターンで発光する発光手段とを備え、解析手段の解析結果が、第２のデータに対応した第３のデータである場合、蓄積手段は、第１のデータに加えて、第３のデータを蓄積することを特徴とする。
【００１８】
前記第１のデータには、展示会の展示物を出展した出展者の出展者データを含ませるようにすることができる。
【００１９】
前記出展者データには、展示物、または、企業に関するアンケートフォームを含ませるようにすることができる。
【００２０】
前記第１のデータに対応した第２のデータには、アンケートフォームの応答を含ませるようにすることができる。
【００２１】
前記第２のデータには、展示会の展示物に興味を持った見学者の個人データを含ませるようにすることができる。
【００２２】
前記第３のデータには、展示会の展示物の詳細データを含ませるようにすることができる。
【００２３】
前記撮像手段には、点滅パターンに加えて、他の情報処理装置を含む範囲の静止画像を撮像させるようにすることができ、蓄積手段には、第３のデータ、第１のデータ、および、静止画像を対応付けて蓄積させるようにすることができる。
【００２４】
前記蓄積手段により対応付けて蓄積されている第３のデータ、第１のデータ、および、静止画像を所定の形式に変換する変換手段とをさらに設けるようにさせることができる。
【００２５】
前記変換手段には、蓄積手段により対応付けて蓄積されている第３のデータ、第１のデータ、および、静止画像をｈｔｍｌの形式に変換させるようにすることができる。
【００２６】
本発明の第２の情報処理方法は、他の情報処理装置により制御されて発光する点滅パターンを撮像する撮像ステップと、撮像ステップの処理で撮像された点滅パターンを解析する解析ステップと、解析ステップの処理での解析結果が第１のデータである場合、第１のデータを蓄積する蓄積ステップと、解析ステップの処理での解析結果が第１のデータである場合、第１のデータに対応した第２のデータを生成する生成ステップと、第２のデータに対応した点滅パターンを発生するパターン発生ステップと、パターン発生ステップの処理で発生された点滅パターンで発光する発光ステップとを含み、解析ステップの処理での解析結果が、第２のデータに対応した第３のデータである場合、蓄積ステップの処理は、第１のデータに加えて、第３のデータを蓄積することを特徴とする。
【００２７】
本発明の第２の記録媒体は、他の情報処理装置により制御されて発光する点滅パターンの撮像を制御する撮像制御ステップと、撮像制御ステップの処理で撮像された点滅パターンの解析を制御する解析制御ステップと、解析制御ステップの処理での解析結果が第１のデータである場合、第１のデータの蓄積を制御する蓄積制御ステップと、解析制御ステップの処理での解析結果が第１のデータである場合、第１のデータに対応した第２のデータの生成を制御する生成制御ステップと、第２のデータに対応した点滅パターンの発生を制御するパターン発生制御ステップと、パターン発生制御ステップの処理で発生された点滅パターンでの発光を制御する発光制御ステップとを含み、解析制御ステップの処理での解析結果が、第２のデータに対応した第３のデータである場合、蓄積制御ステップの処理は、第１のデータに加えて、第３のデータの蓄積を制御することを特徴とする。
【００２８】
本発明の第２のプログラムは、他の情報処理装置により制御されて発光する点滅パターンの撮像を制御する撮像制御ステップと、撮像制御ステップの処理で撮像された点滅パターンの解析を制御する解析制御ステップと、解析制御ステップの処理での解析結果が第１のデータである場合、第１のデータの蓄積を制御する蓄積制御ステップと、解析制御ステップの処理での解析結果が第１のデータである場合、第１のデータに対応した第２のデータの生成を制御する生成制御ステップと、第２のデータに対応した点滅パターンの発生を制御するパターン発生制御ステップと、パターン発生制御ステップの処理で発生された点滅パターンでの発光を制御する発光制御ステップとを実行させ、解析制御ステップの処理での解析結果が、第２のデータに対応した第３のデータである場合、蓄積制御ステップの処理は、第１のデータに加えて、第３のデータの蓄積を制御することを特徴とする。
【００２９】
本発明の情報処理システムは、第１の情報処理装置が、所定のデータに対応した点滅パターンを発生する第１のパターン発生手段と、第１のパターン発生手段により発生された点滅パターンで発光する第１の発光手段と、第１のデータと第２のデータを記憶するデータ記憶手段と、第２の情報処理装置により制御されて発光する点滅パターンを撮像する第１の撮像手段と、第１の撮像手段により撮像された点滅パターンを解析する第１の解析手段とを備え、第１の解析手段の解析結果が、第１のデータに対応する第３のデータである場合、第１のパターン発生手段は、第２のデータに対応した点滅パターンを発生し、第２の情報処理装置が、第１の情報処理装置により制御されて発光する点滅パターンを撮像する第２の撮像手段と、第２の撮像手段により撮像された点滅パターンを解析する第２の解析手段と、第２の解析手段の解析結果が第１のデータである場合、第１のデータを蓄積する蓄積手段と、第２の解析手段の解析結果が第１のデータである場合、第１のデータに対応した第２のデータを生成する生成手段と、第２のデータに対応した点滅パターンを発生する第２のパターン発生手段と、第２のパターン発生手段により発生された点滅パターンで発光する第２の発光手段とを備え、第２の解析手段の解析結果が、第２のデータに対応した第３のデータである場合、蓄積手段は、第１のデータに加えて、第３のデータを蓄積することを特徴とする。
【００３０】
本発明の第１の情報処理装置および方法、並びにプログラムにおいては、所定のデータに対応した点滅パターンが発生され、発生された点滅パターンで発光され、第１のデータと第２のデータが記憶され、他の情報処理装置により制御されて発光する点滅パターンが撮像され、撮像された点滅パターンが解析され、解析結果が、第１のデータに対応する第３のデータである場合、第２のデータに対応した点滅パターンが発生される。
【００３１】
本発明の第２の情報処理装置および方法、並びにプログラムにおいては、他の情報処理装置により制御されて発光する点滅パターンが撮像され、撮像された点滅パターンが解析され、解析結果が第１のデータである場合、第１のデータが蓄積され、解析結果が第１のデータである場合、第１のデータに対応した第２のデータが生成され、第２のデータに対応した点滅パターンが発生され、発生された点滅パターンで発光され、解析結果が、第２のデータに対応した第３のデータである場合、第１のデータに加えて、第３のデータが蓄積される。
【００３２】
本発明の情報処理システムにおいては、第１の情報処理装置により、所定のデータに対応した点滅パターンが発生され、発生された点滅パターンで発光され、第１のデータと第２のデータが記憶され、第２の情報処理装置により制御されて発光する点滅パターンが撮像され、撮像された点滅パターンが解析され、解析結果が、第１のデータに対応する第３のデータである場合、第２のデータに対応した点滅パターンが発生され、第２の情報処理装置により、第１の情報処理装置により制御されて発光する点滅パターンが撮像され、撮像された点滅パターンが解析され、解析結果が第１のデータである場合、第１のデータが蓄積され、解析結果が第１のデータである場合、第１のデータに対応した第２のデータが生成され、第２のデータに対応した点滅パターンが発生され、発生された点滅パターンで発光され、解析結果が、第２のデータに対応した第３のデータである場合、第１のデータに加えて、第３のデータが蓄積される。
【００３３】
【発明の実施の形態】
図１は、本発明に係る情報配信システムの一実施の形態の構成を示すブロック図である。
【００３４】
この情報配信システムは、展示会などで使用されるものであり、展示物を出展する出展者側で所持されるＰＣ（Ｐｅｒｓｏｎａｌ　Ｃｏｍｐｕｔｅｒ）サーバ１、コントロールユニット２、情報ユニット３、およびＩＤ認識カメラ４、並びに、見学者側で所持される携帯端末１１、ＩＤ認識カメラ、および情報ユニット１２から構成されるものである。そして、この情報配信システムは、展示物を出展している出展者の所有するＰＣサーバ１と見学者の所持する携帯端末１１との間で、相互にデータを交換させるようにするものである。
【００３５】
ＰＣサーバ１は、コントロールユニット２に対して、情報ユニット３から出展者名データを、見学者の所持する携帯端末１１に向けて常に出力させるように制御している。また、携帯端末１１が、出展者データを受信し、それに対する個人データからなる応答を送信すると、ＰＣサーバ１は、ＩＤ認識カメラ４を介してこの応答を受信（認識）する。このとき、ＰＣサーバ１は、コントロールユニット２を制御して、情報ユニット３からの送信信号を切替えさせて、その個人データを送信してきた見学者の携帯端末１１にのみ取得可能なＩＤを付して展示物の詳細データを送信させる。
【００３６】
また、ＰＣサーバ１は、このようにして取得された見学者の個人データを個人データ毎に記録して管理する。
【００３７】
コントロールユニット２は、いわゆる切替制御装置のような機能を果たすものであり、ＰＣサーバ１からの指令に基づいて、情報ユニット３からの送信信号を切替える。情報ユニット３は、板状の平面上に２次元、または、１次元に複数の光ビーコン６−１乃至６−６が配列されたものであり、この例においては、図１で示すように、展示物５の付近などの展示物５が撮像されるとき、その撮像範囲に含まれるような位置に設置される。また、情報ユニット３は、コントロールユニット２からの制御信号に基づいて、光ビーコン６−１乃至６−６のそれぞれについての点滅パターンを替えて発光することにより、光で携帯端末１１に出展者名、または、展示物の詳細データを送信する。より詳細には、各光ビーコン６−１乃至６−６は、それぞれの点滅パターンにより、自らを識別するＩＤ（Ｉｄｅｎｔｉｆｉｅｒ）データを送信しているが、ＩＤデータには様々なデータを含めて送信することができるので、この機能を利用することにより、情報ユニット３毎に出展者名、または、展示物の詳細データを送信している。
【００３８】
光ビーコン６−１乃至６−６は、所定の発光パターンで光を発することによりデータを送信する。このデータは、ＩＤデータと呼ばれるものであり、光ビーコン６−１乃至６−６をそれぞれ識別するものであるが、転送可能なデータ量に余裕があるため、その他のデータを含めて送信することも可能である。例えば、ＩＤデータに含められるデータとしては、コンテンツデータ（画像データ、音声データ、または、テキストデータなど）、リンク先データ（ＵＲＬ（Ｕｎｉｆｏｒｍ　Ｒｅｓｏｕｒｃｅ　Ｌｏｃａｔｏｒ）、アドレス、ホストネームなどのデータ）、および、自らが所属するグループを識別するグループ識別データなどがあるが、これらに限るものではなく、電子データとして管理できるデータであれば含めて送信することが可能である。このように、光ビーコン６−１乃至６−６は、その発光パターンを変化させることによりＩＤデータのみならず、様々なデータを送信することができる。
【００３９】
ここで、自らが所属するグループを識別するグループ識別データについて説明する。例えば、図１においては、情報ユニット３が１個であるが、例えば、複数の情報ユニット３が存在した場合、それぞれを構成する複数の光ビーコン６の群はグループと称され、これらのグループを識別するデータがグループ識別データとなる。したがって、今の場合、光ビーコン６−１乃至６−６は、同一の情報ユニット３の同一のグループに属しているので、同一のグループ識別データを発する。
【００４０】
尚、光ビーコン６−１乃至６−６は、特に区別する必要がない場合、単に光ビーコン６と称する。また、今の場合、図１には、情報ユニット３が１個に対して光ビーコン６が６個ある例について示されているが、送信するデータに必要な点滅パターンが作り出せる個数であればよく、少なくとも１個以上であれば個数はいくつであっても構わない。
【００４１】
携帯端末１１は、展示会場に訪れた見学者により所持されるものであり、操作部２３が見学者により操作されると（例えば、シャッタボタンとして設定されたボタンが押下されると）、ＩＤ認識カメラ２１を制御して展示物５の静止画像を撮像し、その静止画像を記憶すると共に、展示物５の静止画像を撮像するタイミングで、情報ユニット３より光ビーコン６の点滅パターンにより光で送信されてくる出展者データを認識し、受信する。さらに、携帯端末１１は、見学者の個人データを情報ユニット１２から送信させる。また、携帯端末１１は、ＰＣサーバ１のコントロールユニット３から送信されてくる展示物５の詳細データを、ＩＤ認識カメラ２１を介して受信する。
【００４２】
さらに、携帯端末１１は、このようにして取得した展示物５の静止画像、出展者データ、および展示物の詳細データなどを統合し、例えば、ｈｔｍｌ形式のファイルに変換して管理する。尚、変換形式は、ｈｔｍｌ（Ｈｙｐｅｒ−ｔｅｘｔ　Ｍａｒｋｕｐ　Ｌａｎｇｕａｇｅ）形式に限るものではなく、統一されたファイル形式であればよく、例えば、ｘｍｌ（Ｅｘｔｅｎｓｉｂｌｅ　Ｍａｒｋｕｐ　Ｌａｎｇｕａｇｅ）などであってもよいし、また、単純なリストとして統合するようにしてもよい。
【００４３】
尚、展示物の出展者により所有されるＰＣサーバ１、コントロールユニット２、情報ユニット３、および、ＩＤ認識カメラ４は、図１においては、有線接続されているが、相互にデータの授受ができる構成となっていれば良く、無線で通信できる構成となっていても良い。また、携帯端末１１においても同様であり、図１においては、ＩＤ認識カメラ２１、および、情報ユニット１２は、携帯端末１１と有線接続されているが、無線接続された構成となっていてもよい。さらに、ＩＤ認識カメラ２１、および、光ビーコン６については、詳細を後述する。
【００４４】
図２は、ＰＣサーバ１の構成を示すブロック図である。ＣＰＵ（Ｃｅｎｔｒａｌ　Ｐｒｏｃｅｓｓｉｎｇ　Ｕｎｉｔ）３１は、ＲＯＭ（Ｒｅａｄ　Ｏｎｌｙ　Ｍｅｍｏｒｙ）３２、または記憶部３８に記憶されているプログラムに従って各種の処理を実行する。ＲＡＭ（Ｒａｎｄｏｍ　Ａｃｃｅｓｓ　Ｍｅｍｏｒｙ）３３には、ＣＰＵ３１が実行するプログラムやデータなどが適宜記憶される。これらのＣＰＵ３１、ＲＯＭ３２、およびＲＡＭ３３は、バス３４により相互に接続されている。
【００４５】
ＣＰＵ３１には、バス３４を介して入出力インタフェース３５が接続されている。入出力インタフェース３５には、キーボード、マウス、マイクロホンなどよりなる入力部３６、ディスプレイ、スピーカなどよりなる出力部３７が接続されている。ＣＰＵ３１は、入力部３６から入力される指令に対応して各種の処理を実行する。また、ＣＰＵ３１は、入力部３６に接続されたＩＤ認識カメラ４より取得される動画像データ、静止画像データ、および、ＩＤデータを記憶部３８、または、ＲＯＭ３２に記憶されたプログラムにより適宜処理する、または、記憶部３８に記憶させる。
【００４６】
そして、ＣＰＵ３１は、処理の結果得られた画像や音声等を出力部３７に出力する。また、ＣＰＵ３１は、出力部３７に接続されているコントロールユニット２を制御して、出展者データ、および、展示物の詳細データを情報ユニット３より出力させる。
【００４７】
入出力インタフェース３５に接続されている記憶部３８は、例えばハードディスクなどで構成され、ＣＰＵ３１が実行するプログラムや各種のデータを記憶する。通信部３９は、図示せぬネットワークを介して通信機能を有する装置と各種のデータの授受を行う。
【００４８】
入出力インタフェース３５に接続されているドライブ４０は、磁気ディスク５１、光ディスク５２、光磁気ディスク５３、或いは半導体メモリ５４などが装着されたとき、それらを駆動し、そこに記録されているプログラムやデータなどを取得する。取得されたプログラムやデータは、必要に応じて記憶部３８に転送され、記憶される。
【００４９】
次に、図３を参照して、携帯端末１１の構成について説明する。
【００５０】
携帯端末１１の構成は、基本的に、図２のＰＣサーバ１と同様であり、携帯端末１１のＣＰＵ７１、ＲＯＭ７２、ＲＡＭ７３、バス７４、入出力インタフェース７５、入力部７６、出力部７７、記憶部７８、通信部７９、ドライブ８０、磁気ディスク９１、光ディスク９２、光磁気ディスク９３、および、半導体メモリ９４は、ＰＣサーバ１のＣＰＵ３１、ＲＯＭ３２、ＲＡＭ３３、バス３４、入出力インタフェース３５、入力部３６、出力部３７、記憶部３８、通信部３９、ドライブ４０、磁気ディスク５１、光ディスク５２、光磁気ディスク５３、および、半導体メモリ５４に対応するものである。但し、携帯端末１１は、全てにおいて携帯性を重視した構成となっているため、処理速度や記憶部７８の記憶容量などは、ＰＣサーバ１に比べて小さいものである。
【００５１】
また、入力部７６には、ＩＤ（Ｉｄｅｎｔｉｆｉｅｒ）認識カメラ２１が接続されており、操作部２３が操作されたとき、静止画像が撮像されて、さらに、ＰＣサーバ１の情報ユニット３の光ビーコン６が撮像された際に、その点滅パターンにより取得されるＩＤデータが入力される。操作部２３は、例えば、タブレットボタンなどから構成され、見学者（ユーザ）が携帯端末１１に各種の処理を入力するとき操作される。
【００５２】
尚、情報ユニット３およびＩＤ認識カメラ４は、情報ユニット１２およびＩＤ認識カメラ２１とそれぞれ同一ものものである。
【００５３】
ここで、図４を参照して、ＩＤ認識カメラ４の詳細な構成について説明する。イメージセンサ１３１の受光部１４１は、撮像される対象となる撮像領域の光を電気信号に光電変換した後、演算部１４２に出力する。また、受光部１４１の受光素子１５１は、ＣＭＯＳ（Ｃｏｍｐｌｅｍｅｎｔａｒｙ　Ｍｅｔａｌ−Ｏｘｉｄｅ　Ｓｅｍｉｃｏｎｄｕｃｔｏｒ）素子からなり、従来のＣＣＤ（Ｃｈａｒｇｅ　Ｃｏｕｐｌｅｄ　Ｄｅｖｉｃｅ）素子よりも高速に動作することができる。より詳細には、受光素子１５１が、撮像される対象となる撮像領域の光を光電変換し、増幅器１５２に出力する。増幅器１５２は、受光素子１５１より入力される光電変換された電気信号を増幅して、演算部１４２に出力する。
【００５４】
演算部１４２の記憶部１６１は、受光部１４１より入力された増幅されている電気信号を記憶し、適宜比較部１６２に出力する。比較部１６２は、記憶部１６１に記憶された電気信号の値に基づいて、演算処理を行い、演算結果を所定のリファレンス値（＝基準信号レベル）と比較して、比較結果を出力部１６３に出力する。出力部１６３は、比較結果に基づいてセンサ出力信号を生成してデータ生成部１３２に出力する。但し、演算部１４２の処理内容は、画像モードとＩＤモードの２つの動作モードにより異なる。尚、この２つの異なる動作モードによる演算内容の詳細については後述する。
【００５５】
データ生成部１３２の画像デコード処理部１７１は、画像モードの場合、センサ出力信号をデコード処理して撮像画像を生成して入力部３６（図２）に出力する。また、ＩＤモードの場合、ＩＤデコード処理部１７２は、センサ出力信号をデコード処理してＩＤデータと位置データを生成して入力部３６（図２）に出力する。
【００５６】
次に、図５を参照して、画像デコード処理部１７１の詳細な構成について説明する。画像デコード処理部１７１の画素値決定部１８１は、センサ出力信号に基づいて画素値を決定し、フレームメモリ１８２の対応する画素位置に決定した画素値を記憶させる。フレームメモリ１８２は、１フレーム分の画素値を記憶するメモリであり、画素位置毎に画素値を記憶する。
【００５７】
出力部１８３は、フレームメモリ１８２に１フレーム分の画素値が記憶されたとき、順次画像データとして読出し、出力する。
【００５８】
次に、図６を参照して、ＩＤデコード処理部１７２の詳細な構成について説明する。ＩＤデコード部２０１のＩＤデコード回路２１１は、ＩＣ（Ｉｎｔｅｇｒａｔｅｄ　Ｃｉｒｃｕｉｔ）、ＡＳＩＣ（Ａｐｐｌｉｃａｔｉｏｎ　Ｓｐｅｃｉｆｉｃ　Ｉｎｔｅｇｒａｔｅｄ　Ｃｉｒｃｕｉｔ）、ＦＰＧＡ（Ｆｉｅｌｄ　Ｐｒｏｇｒａｍｍａｂｌｅ　Ｇａｔｅ　Ａｒｒａｙ）などのデバイスにより構成されており、イメージセンサ１３１から入力されるセンサ出力信号より各画素のＩＤデータを復元する。このＩＤデコード回路２１１は、処理能力が十分であれば、マイクロプロセッサやＤＳＰ（Ｄｉｇｉｔａｌ　Ｓｉｇｎａｌ　Ｐｒｏｃｅｓｓｏｒ）によってソフトウェアで構成するようにしても良い。
【００５９】
フラグレジスタ２１２は、ＩＤデータをデコードするために必要なフラグ類を記憶するためのレジスタであり、データレジスタ２１３は、デコード途中またはデコードを完了したＩＤを記憶しておくためのレジスタである。
【００６０】
尚、図６においては、ＩＤデコード部２０１は、１個のみが示されているが、処理速度の要求により、例えば、各画素毎に設けるようにしてもよいし、垂直方向、または、水平方向のライン毎に設けるようにしても良い。
【００６１】
タイミング制御部２０２は、ＩＤデコード処理部１７２の全体の動作に必要なタイミングを制御するタイミング制御信号を出力する。より具体的には、タイミング制御部２０２は、ＩＤデコード回路２１１とセンサ出力信号のタイミングの同期をとり、所望のセンサ出力信号に対して、対応するフレームメモリ２０３のフラグデータをフラグレジスタ２１２に、ＩＤデータをデータレジスタ２１３に、それぞれロードして、ＩＤデコード処理を進めるためのタイミング制御信号を生成し、ＩＤデコード部２０１（のＩＤデコード回路２１１、フラグレジスタ２１２、および、データレジスタ２１３）に供給する。また、このとき、タイミング制御部２０２は、フレームメモリ２０３へのアドレス信号、リードライトなどのタイミング制御信号を生成し供給する。さらに、タイミング制御部２０２は、重心計算部２０４のＩＤレジスタ２２１、および、ＩＤ重心計算回路２２２、並びに、ＩＤ座標格納メモリ２０５のタイミング制御を行うタイミング制御信号を生成して供給する。
【００６２】
フレームメモリ２０３は、受光素子１５１、または演算部１４２毎に演算されたセンサ出力信号がデコードされたＩＤデータとフラグデータを格納するメモリであり、イメージセンサ１３１が１画素につき１個の演算部１４２をもつ場合には、センサの画像サイズであるＭ画素×Ｎ画素と同じサイズとなり、データ幅はフラグレジスタ２１２とデータレジスタ２１３のビット幅の和で構成される。図６においては、各画素の位置に対応する座標が、Ｉ軸とＪ軸により示されており、それぞれの座標位置にＩＤデータとフラグデータが格納される。
【００６３】
重心計算部２０４は、同一のＩＤデータを持つ撮像画像上の画素の重心位置の座標を求め、ＩＤデータに、光ビーコン６の検出位置としての位置データ（＝光ビーコン２の撮像画像上の位置データ）を付して出力する。より詳細には、重心計算部２０４のＩＤレジスタ２２１は、タイミング制御部２０２より入力される所定のＩＤデータがデコード部２０１よりデコードされたことを示すタイミング制御信号によりフレームメモリ２０３に今記憶されたＩＤデータを読出し、ＩＤ重心計算回路２２２に出力する。ＩＤ重心計算回路２２２は、入力されたＩＤデータ毎に、対応する画素の座標位置のＩ座標とＪ座標、並びにデータの個数を順次加算してＩＤ座標格納メモリ２０５に記憶させる。また、ＩＤ重心計算回路２２２は、フレームメモリ２０３に１フレーム分のデータが格納されたとき、ＩＤ座標格納メモリ２０５よりＩＤ毎にＩ座標の和とＪ座標の和を、データの個数で割ることにより重心位置の座標を求めて、ＩＤデータと共に出力する。
【００６４】
次に、図７，図８を参照して、光ビーコン６の構成について説明する。
【００６５】
図７の光ビーコン２は、送信データ保存用メモリ１５１、点滅制御部１５２、発光部１５３から構成される。送信データ保存メモリ１５１は、予め送信するためのデータを記憶しており、適宜読み出して点滅制御部１５２に出力する。点滅制御部１５２は、発信器とＩＣ，ＡＳＩＣ，ＦＰＧＡ、ワンチップマイコンなどのデジタル回路によって構成されており、送信データ保存用メモリ１５１に記憶されたデータの内容に基づいて、点滅パターンを発生させると共に、発生された点滅パターンで発光部１５３を発光させる。発光部１５３は、高速に点滅することができる光源であれば良く、出力波長もセンサが反応する範囲であれば良い。また、発光部１５３が発する光は、可視光だけではなく、赤外域などでもよく、応答速度や、寿命の点から、ＬＥＤ（Ｌｉｇｈｔ　Ｅｍｉｓｓｉｏｎ　Ｄｉｏｄｅ）は最適な光源の１つであるといえる。
【００６６】
また、図８の光ビーコン６は、図示せぬネットワークを介して他の装置と通信することによりデータを可変とすることが可能である。ここでネットワークとは、有線・無線の通信回線、例えば電話回線、ＩＳＤＮ、ＲＳ−２３２Ｃ、ＲＳ−４２２、Ｅｔｈｅｒｎｅｔ（登録商標）（１０ｂａｓｅ−Ｔ，１００ｂａｓｅ−Ｔ）、ＵＳＢ（Ｕｎｉｖｅｒｓａｌ　Ｓｅｒｉａｌ　Ｂｕｓ）、ＩＥＥＥ（Ｉｎｓｔｉｔｕｔｅ　ｏｆ　Ｅｌｅｃｔｒｉｃａｌ　ａｎｄ　Ｅｌｅｃｔｒｏｎｉｃ　Ｅｎｇｉｎｅｅｒｓ）１３９４、ＩＥＥＥ８０２．１１ａ、ＩＥＥＥ８０２．１１ｂ、ＢｌｕｅＴｏｏｔｈなどの通信手段により他の装置とデータ通信ができる環境をいう。また、データ送受信部２５１は、この通信手段に対応するデータ通信用ＩＣ及びドライバから構成されており、ネットワークを介して受信した光ビーコン６の送信データを、点滅制御部２５２に出力する。点滅制御部２５２は、入力された送信データに応じた点滅パターンを発生し、発光部２５３を発光させる。
【００６７】
次に、ＩＤ認識カメラ４の動作について説明する。
【００６８】
受光部１４１の受光素子１５１は、光を光電変換し、変換した電気信号を増幅部１５２に出力する。増幅部１５２は、電気信号を増幅して演算部１４２に出力する。演算部１４２の記憶部１６１は、受光部１４１より入力された電気信号を順次記憶して、４フレーム分の電気信号を記憶し、いっぱいになると、最も古いフレームの電気信号を消去して、最新のフレームの電気信号を記憶する処理を繰り返して、常に最新の４フレーム分の電気信号を記憶しており、その４フレーム分の電気信号を比較部１６２に出力する。
【００６９】
比較部１６２の動作は、画像モードとＩＤモードにより異なる。この動作モードは、例えば、図９で示すように図示せぬ制御装置により、所定の時間間隔で交互に切り替えるようにしてもよい。また、画像モードとＩＤモードがそれぞれ３０ｆｐｓ（ｆｒａｍｅ　ｐｅｒ　ｓｅｃｏｎｄ）や６０ｆｐｓといった従来のフレームレートで切り替えられるようにしても良い。さらに、ＩＤモードには、ＩＤデータをデコードするＩＤデコード処理区間と、デコードされたＩＤデータを持つ画素の座標位置としての位置データを求めるＩＤ重心計算区間がある。
【００７０】
尚、図９においては、画像モードとＩＤモードが同時間の場合を示しているが、それぞれの動作モードの時間は、同時間でも良いし、同時間でなくてもよい。また、図９の下段で示すように、各画像モードの後のタイミングでは、画像デコード処理部１７１により、センサ出力信号がデコードされて撮像画像の画像データが出力され、ＩＤモードの後のタイミングで、ＩＤデコード処理部１７２により、センサ出力信号がデコードされてＩＤデータと位置データが出力される。
【００７１】
まず、画像モードの場合の動作について説明する。
【００７２】
画像モードの場合、イメージセンサ１３１の比較部１６２は、各画素の受光部４１で検出した輝度を示す信号レベル（記憶部１６１に記憶された電気信号）を、基準信号レベルと比較して、図１０で示すように、基準信号レベルよりも低くなったときに、図１１で示すようにアクティブになるような信号（図１１中の１の信号）を出力する。
【００７３】
ここで、図１０は、輝度信号レベルを示しており、図１１は、センサ出力信号を示している。輝度信号レベルは、実質的に受光素子１５１の充電電圧の変化を示している。受光素子１５１は、所定のタイミングで充電される電圧と逆極性の所定のリセットレベルの電圧が印加され、その後のタイミングから受光素子により蓄積される電荷量に対応して電圧レベルが低下する。従って、図１０においては、時刻０において蓄積される電荷は０であるので、輝度信号レベルは、リセットレベル（所定のレベル）となっている。この状態から時間が経過するに従って、電荷が蓄積されて、輝度信号レベルが低下する。今の場合、図１０中のＨで示す直線が、比較的輝度信号レベルの高い（明るい）画素値として、Ｌで示す直線が、比較的輝度信号レベルの低い（暗い）画素値として示されている。
【００７４】
画素値のレベルが高い輝度信号レベルの変化Ｈは、時刻０から時間Ｔ（Ｈ）だけ経過したタイミングである時刻Ｔ（Ｈ）において、基準信号レベルに達する電荷が蓄積されていることが示されている。一方、画素値のレベルが低い輝度信号レベルの変化Ｌは、時刻０から時間Ｔ（Ｌ）だけ経過したタイミングである時刻Ｔ（Ｌ）において、基準信号レベルに達する電荷が蓄積されていることが示されている。
【００７５】
すなわち、図１０で示すように、明るい画素ほど基準信号レベルに達する時間が短く（図中Ｔ（Ｈ））、暗い画素ほど基準信号レベルに達する時間（図中Ｔ（Ｌ））が長くなる（Ｔ（Ｈ）＜Ｔ（Ｌ））。比較部１６２は、実際の受光部１４１より出力される各画素の電気信号（輝度信号）が、前記基準信号レベルに達したかどうかの比較結果（コンパレータ出力）を図１１で示すように２値のセンサ出力信号として出力する。このような処理により、イメージセンサ１３１は、画像を高速に撮像して基準信号との比較演算を行い、１画面（フレーム）分の結果をセンサ出力信号として出力する。
【００７６】
さらに、画像デコード処理部１７１の画素値決定部１８１は、この時間Ｔ（Ｈ），Ｔ（Ｌ）を計測するために、このイメージセンサ１３１が１画面単位で出力する結果を、フレーム単位でカウントし、各画素で何番目のフレームでセンサ出力信号が図１０で示すようにアクティブになるかを示すセンサ出力信号をエンコードして画像データとして出力する。今の場合、センサ出力信号は、時刻Ｔ（Ｈ）が、フレーム数Ｆ（Ｈ）であり、時刻Ｔ（Ｌ）が、フレーム数Ｆ（Ｌ）である。
【００７７】
すなわち、画像モードの場合、画像デコード処理部１７１の画素値決定部１８１が、このセンサ出力信号を正しい明るさの値に変換するために、この基準信号に到達するまでの時間（フレーム数）の逆数を各画素毎に計算することで、センサ出力信号を画像データにデコードし、フレームメモリ１８２に記憶させる。そして、１フレーム分の画像データが蓄積された時、出力部１８３は、フレームメモリ１８２に記憶された画素値を画像データとして順次読出して出力する。この動作により、ＩＤ認識カメラ２１は、画像モードにおいて画像データを出力することができる（詳細は、４８Ｋｆｒａｍｅｓ／ｓ　ＣＭＯＳ　Ｉｍａｇｅ　Ｓｅｎｓｏｒ　ｆｏｒ　Ｒｅａｌ−ｔｉｍｅ　３−Ｄ　Ｓｅｎｓｉｎｇ　ａｎｄ　Ｍｏｔｉｏｎ　Ｄｅｔｅｃｔｉｏｎ”　ＩＳＳＣＣ　Ｄｉｇｅｓｔ　ｏｆ　　Ｔｅｃｈｎｉｃａｌ　Ｐａｐｅｒｓ，　ｐｐ．９４−９５，　Ｆｅｂ．２００１、または、特開２００１−３２６８５７を参照されたい）。
【００７８】
一方、動作モードがＩＤモードの場合、比較部１６２は、記憶部１６１に記憶されている時間的に連続する４フレーム分の電気信号を輝度信号として以下の式（１）のような演算処理を実行する。
【００７９】
Ｖ（Ｎ）＝Ｆ（Ｎ）＋Ｆ（Ｎ−１）−Ｆ（Ｎ−２）−Ｆ（Ｎ−３）・・・（１）
【００８０】
ここで、Ｎはフレーム番号を表し、Ｖ（Ｎ）は、Ｎフレーム目の輝度値が入力された時点での比較値を示し、Ｆ（Ｎ）はＮフレーム目の受光部１４１に蓄積された輝度を示す。この演算により、光の変化を検出することができるため、その演算結果をセンサ出力信号としてデータ生成部１３２に出力する。データ生成部１３２は、このセンサ出力信号を用いて、後述するＩＤデコード処理を行うことで、点滅パターンからなるＩＤデータを復元し、光ビーコン６からのＩＤデータを生成することが可能となる。
【００８１】
尚、比較部１６２の演算方法は、式（１）に限るものではなく、他の演算（１次微分や２値化画像の比較など）によって実現するようにしてもよいが、以下の説明においては、光変化の検出の安定性の高い、式（１）を用いて説明するものとする。
【００８２】
ここで、ＩＤデコード処理部１７２の動作について説明する。
【００８３】
ＩＤデコード部２０１のＩＤデコード回路２１１は、タイミング制御部２０２からのセンサ出力信号のタイミングの同期を図るためのタイミング制御信号に基づいて、イメージセンサ１３１から入力されるセンサ出力信号より各画素のＩＤデータを復元する。この際、ＩＤデコード回路２１１は、タイミング制御信号に応じて、フラグレジスタ２１２を制御して、フレームメモリ２０３にロードされたフラグデータを用いて、センサ出力信号からＩＤデータをデコードし、デコード途中またはデコードを完了したＩＤをデータレジスタ２１３に記憶させる。
【００８４】
さらに、フレームメモリ２０３は、これらのデコード処理がなされたフラグデータとＩＤデータを対応する座標位置に格納する。
【００８５】
重心計算部２０４のＩＤレジスタ２２１は、タイミング制御部２０２より入力される所定のＩＤデータがデコード部２０１よりデコードされたことを示すタイミング制御信号により、フレームメモリ２０３に今記憶されたＩＤデータの情報をＩＤ重心計算回路２２２に読み出させる。
【００８６】
ＩＤ重心計算回路２２２は、読み出したＩＤデータに対応する画素の座標位置のＩ座標とＪ座標を順次加算して、これに画素の個数の情報を付してＩＤ座標格納メモリ２０５に記憶させ、この処理を繰り返す。
【００８７】
そして、フレームメモリ２０３に１フレーム分のデータが格納されたとき、ＩＤ重心計算回路２２２は、ＩＤ座標格納メモリ２０５よりＩＤ毎にＩ座標の和とＪ座標の和を、データの個数で割ることにより重心位置の座標を位置データとして求めて、対応するＩＤデータと共に出力する。
【００８８】
以上の動作により、例えば、図１２で示すように、２個の光ビーコン６−１，１１−２が、点滅しながら発光してデータを送信する場合、ＩＤ認識カメラ４には、図１２上部に示すような現実空間上の光ビーコン６−１，１１−２の物理的な位置に応じた、撮像画像上の位置の画素で光の信号を受光する。例えば、光ビーコン６−１から発せられた光が座標位置（１０，１０）の受光素子１５１で受光されるものとし、光ビーコン６−２から発せられた光が座標位置（９０，９０）の受光素子１５１で受光されるものとする。このとき、各受光部１４１の座標位置（１０，１０）と（９０，９０）の受光素子１５１では、それぞれが光ビーコン６−１と１１−２の点滅パターンにより受光強度（明るさ）の時間的変化として信号を受信することができる。今の場合、座標（１０，１０）の位置データに対応する画素は、ＩＤデータとして「３２１」が、座標（９０，９０）の位置データに対応する画素は、ＩＤデータとして１０５がデコード結果として求められている。
【００８９】
結果として、この受光強度の変化を上述の式（１）などにより２値化することにより１／０のビット列からなるＩＤデータを取得する事ができる。
【００９０】
次に、図１３の機能ブロック図を参照して、ＰＣサーバ１により実現される機能について説明する。尚、以下の説明において、機能ブロックの各構成は、例えば、記憶部３９、または、ＲＯＭ３２に予め組み込まれるプログラムからなるソフトウェアを、ＣＰＵ３１が実行するときに実現されるものとして説明するが、各機能ブロックを実現するハードウェアから構成されるようにしても良い。従って、以下の機能ブロック図は、ハードウェア構成図と見ても良いし、ソフトウェア構成図と見てもよいものである。
【００９１】
ＰＣサーバ１の取得データ解析部３０１は、ＩＤ認識カメラ４が、携帯端末１１の情報ユニット１２を撮像することにより取得したＩＤデータ、および、位置データから携帯端末１１より送信されてくる個人データを解析し、データベース３０１ａに記憶すると共に、データ送信制御部３０２に出力する。
【００９２】
データ送信制御部３０２は、通常は、送信データ記憶部３０３に予め記憶されている、展示物５（図１）を出展している出展者の出展者データを、コントロールユニット２を制御して情報ユニット３より出力させる。また、データ送信制御部３０２は、取得データ解析部３０１を介して、携帯端末１１から送信されてきた個人データを受信すると、送信データ記憶部３０３より展示物詳細データを含むデータを、個人データを送信してきた携帯端末１１に対して送信するように（送信するデータの内容を切替えるように）、コントロールユニット２を制御して情報ユニット３より出力させる。また、送信データ制御部３０２は、送信データ記憶部３０３に予め記憶されている展示会場の地図データを、コントロールユニット２を制御して情報ユニット３より出力させる。
【００９３】
次に、図１４の機能ブロック図を参照して、携帯端末１１により実現される機能について説明する。
【００９４】
画像記録部３２１は、操作部２３が見学者に操作されるとＩＤ認識カメラ２１より入力される画像データを静止画像として記録し、データ統合部３２５に出力する。すなわち、操作部２３は、この場合、いわゆるシャッタボタンとして機能する。
【００９５】
取得データ解析部３２２は、操作部２３が見学者に操作されると、そのタイミングで、ＩＤ認識カメラ２１より入力されるＩＤデータ（位置データを含む）を解析し、情報ユニット３から送信されてきた出展者データを解析して、解析結果としての出展者データをデータ統合部３２５に出力する。また、取得データ解析部３２２は、常時ＩＤ認識カメラ２１から出力されてくるデータを解析し、自らの個人ＩＤ（見学者の個人ＩＤ）を含むデータ（例えば、後述する展示物５の展示物詳細データ）が検出された時、そのデータをデータ統合部３２５に出力する。また、展示会場の地図データが検出された場合、取得データ解析部３２２は、その地図データをメモリ３２２ａに記憶させる。
【００９６】
データ送信制御部３２３は、操作部２３が、見学者により操作されると、そのタイミングで送信データ記憶部３２４に予め記憶されている個人データを読み出して、情報ユニット１２を制御して送信させる。
【００９７】
すなわち、画像記録部３２１によるＩＤ認識カメラ２１からの出力画像を静止画像として記録する処理、取得データ解析部３２２によるＩＤ認識カメラ２１からのＩＤデータを解析して、解析結果をデータ統合部３２５に出力する処理、および、データ送信制御部３２３による個人データを情報ユニット１２に送信させる処理は、操作部２３が操作されたタイミングで、ほぼ同時に全ての処理が実行される。
【００９８】
データ統合部３２５は、画像記録部３２１から入力される展示物５の静止画像、取得データ解析部３２２より入力される（展示物５を出展する出展者の）出展者データ、および、展示物５の展示物詳細データを、ｈｔｍｌ形式の１個のファイルに変換し、統合データ記憶部３２６に出力する。
【００９９】
表示制御部３２７は、操作部２３の操作指令に基づいて、取得データ解析部３２２のメモリ３２２ａに記憶された地図データに、統合データ記憶部３２６に記憶された統合データのリンク情報を含むアイコンを表示させ、さらに、そのアイコンが操作部２３により操作されると（選択されると）、そのアイコンに対応する統合データを統合データ記憶部３２６より読み出し表示部２２に表示させる。
【０１００】
次に、図１５を参照して、ＰＣサーバ１の情報ユニット３から出力される出展者データの構成例について説明する。出展者データは、展示ＩＤ、および、出展者名のデータから構成されている。展示ＩＤは、展示会毎に展示物を出展する出展者毎に予め設定されるＩＤである。出展者名は、出展者が企業である場合、企業名のデータであったり、また、出展者が、企業以外の、例えば、有志の団体などであった場合、その団体名のデータであったり、さらに、出展者が個人の場合、出展者の氏名のデータが記録される。この出展者データは、ＰＣサーバ１の情報ユニット３から常時出力されているデータであり、見学者が、自らが所持する携帯端末１１で興味を持った展示物５を撮像するとき、そのタイミングで取得される。
【０１０１】
次に、図１６を参照して、携帯端末１１の情報ユニット１２から出力される個人データの構成例について説明する。個人データは、展示ＩＤ、個人ＩＤ、ｅ−ｍａｉｌアドレス、および、会社名のデータから構成されている。展示ＩＤは、個人データのヘッダ部に上述の出展者データとして取得した展示ＩＤに基づいて記述される。個人ＩＤは、見学者（ユーザ）を識別するＩＤである。Ｅ−ｍａｉｌアドレス、および、会社名は、それぞれ、見学者が通常使用するＥ−ｍａｉｌアドレスと、見学者の所属する会社名（会社の住所や電話番号なども含む）のデータである。この個人データは、見学者が、所持する携帯端末１１で興味を持った展示物５を撮像するとき、取得される出展者データに応答するデータである。また、ＰＣサーバ１は、ヘッダ部に展示ＩＤが設定されているので、この展示ＩＤにより、複数の携帯端末１１から複数の個人データが送信されてきても、自らに送られた個人データ（自らの展示ＩＤを含む個人データ）だけを選択する事ができ、展示物５に興味を持った見学者の個人データを蓄積することができる。
【０１０２】
すなわち、見学者は、自分が興味を持った展示物の静止画像を撮像すると、展示物の出展者データを取得すると同時に、この出展者データに基づいて個人データを応答する。
【０１０３】
次に、図１７を参照して、上述の個人データを取得した後に、ＰＣサーバ１が情報ユニット３から出力する展示物の詳細データの構成例について説明する。展示物の詳細データは、個人ＩＤ、展示ＩＤ、展示物詳細データ、および、ＵＲＬなどから構成される。個人ＩＤは、図１６で示した個人データが取得されたときのものが使用される。また、個人ＩＤは、展示物の詳細データのヘッダ部に設定され、展示物の詳細データを受信する、携帯端末１１が、そのデータが自らが興味を持って撮像した展示物の詳細データであることを識別させることができる。
【０１０４】
展示ＩＤは、出展者データ、および、個人データの展示ＩＤと同一のものである。展示物詳細データは、出展者により作成された展示物の詳細な情報が記録されたデータである。ＵＲＬは、出展者が運営するＵＲＬのデータが記録されている。
【０１０５】
すなわち、出展者のＰＣサーバ１は、自らの展示物に興味を持った見学者からの個人データに基づいて、展示物の詳細データを送る。
【０１０６】
次に、データ統合部３２５によるデータの統合について説明する。
【０１０７】
データ統合部３２５には、操作部２３が操作されることにより、画像記録部３２１で記録された静止画像のデータと、取得データ解析部３２２より入力された出展者データと展示物の詳細データが入力されていることになるので、データ統合部３２５は、これらのデータを図１８で示すようなｈｔｍｌで規定される所定のフォーマットに変換して統合する。
【０１０８】
すなわち、図１８の第１行目には、“＜ＨＴＭＬ＞”と記述され、このページの開始が指示されている。第２，４行目には、“＜ＨＥＡＤ＞”，“＜／ＨＥＡＤ＞”と記され、その間に、このページの性質を示す情報が記述される。今の場合、“＜ＴＩＴＬＥ＞０６＜／ＴＩＴＬＥ＞”と記述され、タイトルとして、展示ＩＤである「０６」を表示することが示されている。
【０１０９】
第５，１２行目には、“＜ＢＯＤＹ＞”，“＜／ＢＯＤＹ＞”と記され、その間に、このページの記述内容が入力されている。第６，７行目、第８行目、第９，１０行目、および第１１行目の“＜Ｐ＞”，“＜／Ｐ＞”は、段落を示し、この間の記述を１段落として表示することが示されている。第６行目の“出展者名：Ｆ社＜ＢＲ＞”の“＜ＢＲ＞”は、改行を示し、携帯端末１１の表示部２２に表示するとき、図１９の最上段で示すように「出展者名：Ｆ社」が表示されて、さらに改行されることが示されている。
【０１１０】
第７行目に示される“ＵＲＬ：ｈｔｔｐ：／／ｗｗｗ．＜ＦＯＮＴ　ｓｉｚｅ＝”−２”＞△△△．△△．△＜／ＦＯＮＴ＞”は、「ｓｉｚｅ＝”−２”」で指定されるサイズで、「ＵＲＬ：ｈｔｔｐ：／／ｗｗｗ．」以下の位置に「△△△．△△．△」を表示することが指示されている。すなわち、このコマンドにより、図１９で示すように、上から第２段目には、展示物の詳細データに含まれていたＵＲＬのデータに基づいて「ＵＲＬ：ｈｔｔｐ：／／ｗｗｗ．△△△．△△．△」が表示されている。
【０１１１】
さらに、第８行目には、＜ＩＭＧ　ｓｒｃ＝”ｉｍａｇｅ．ｊｐｇ”　ｗｉｄｔｈ＝”５０”　ｈｅｉｇｈｔ＝”３０”　ｂｏｒｄｅｒ＝”０”＞が記述されており、”ｉｍａｇｅ．ｊｐｇ”で示される画像記録部３２１により記録された画像ファイルが、「ｗｉｄｔｈ＝”５０”」で設定された横幅で、「ｈｅｉｇｈｔ＝”３０”」で設定された高さの画像を、「ｂｏｒｄｅｒ＝”０”」で設定される縁取り幅で表示させることを示しており、例えば、図１９の画像３３１のように表示される。
【０１１２】
さらに、第９行目には、「詳細情報：」が記述されており、図１９で示すように、画像３３１の下の段落に表示されており。さらに、第１０行目には、「Ｆ社の先端技術を取り入れた・・」で示す図１７で示した展示物の詳細データのうちの展示物詳細データに含まれた部分のテキストデータが記述されており、図１９で示すように「詳細情報：」の下に表示されている。また、第１１行目には、「コメント」と表示されており、図１９で示すように「詳細情報」のさらに下に表示されている。
【０１１３】
次に、図２０のフローチャートを参照して、ＰＣサーバ１と携帯端末１１によるデータ交換処理について説明する。
【０１１４】
ステップＳ１において、データ送信制御部３０２は、送信データ記憶部３０３に予め記憶されている、図１５で示した出展者データを読み出して、コントロールユニット２を制御して、情報ユニット３から送信させる。
【０１１５】
ステップＳ１１において、携帯端末１１の操作部２３が操作されたか否かが判定され、操作されたと判定されるまで、その処理が繰り返される。例えば、見学者が展示物５に興味を持って、ＩＤ認識カメラ２１を展示物５にかざし、展示物５を撮像するように携帯端末１１の操作部２３が操作されると（操作部２３が操作されて、操作部２３から操作信号が、画像記録部３２１、取得データ解析部３２２、およびデータ送信制御部３２３に出力されると）、操作部２３が操作されたと判定され、その処理は、ステップＳ１２に進む。尚、このとき、展示物５の傍にある情報ユニット３も撮像される。
【０１１６】
ステップＳ１２において、画像記録部３２１は、ＩＤ認識カメラ２１より入力された画像データに基づいて、そのタイミングの静止画像を記録し、データ統合部３２５に出力する。今の場合、展示物５が撮像された静止画像が記録される。
【０１１７】
ステップＳ１３において、取得データ解析部３２２は、ＩＤ認識カメラ２１より入力されるＩＤデータを解析し、出展者データを取得し、データ統合部３２５に出力すると共に、データ送信制御部３２３に出力する。
【０１１８】
ステップＳ１４において、データ送信制御部３２３は、送信データ制御部３２４に予め記憶されている見学者の個人ＩＤ、ｅ−ｍａｉｌアドレス、および、会社名のデータを読出し、さらに、取得データ解析部３２２より取得された出展者データから展示ＩＤを読出し、個人データを生成して、情報ユニット１２から出力させる。
【０１１９】
ステップＳ２において、ＰＣサーバ１のＩＤ認識カメラ４は、発光パターンを検出して、そこから得られるＩＤデータを取得データ解析部３０１に出力する。ステップＳ３において、取得データ解析部３０１は、携帯端末１１から自らに向けて送信されてきた個人データが検出されたか否かを判定し、携帯端末１１からの個人データが検出されなかった場合、その処理は、ステップＳ１に戻り、個人データが検出されるまで、ステップＳ１乃至Ｓ３の処理が繰り返される。
【０１２０】
ステップＳ３において、例えば、ステップＳ１４の処理が実行され、個人データが送信されてきた場合、取得データ解析部３０１は、ＩＤ認識カメラ２１から入力されたＩＤデータを解析して、自らに向けて送信されてきた個人データを検出し、その処理は、ステップＳ４に進む。より詳細には、個人データは、ヘッダ部に展示ＩＤが設定されているので、取得データ解析部３０１は、ＩＤデータを解析し、ヘッダ部に自らの展示ＩＤが検出された時、自らに向けて送信されてきた個人データを検出したと判定する。
【０１２１】
ステップＳ４において、取得データ解析部３０１は、取得した個人データを内蔵するデータベース３０１ａに記憶させ、さらに、個人データをデータ送信制御部３０２に出力する。
【０１２２】
ステップＳ５において、データ送信制御部３０２は、それまで送信していた、出展者データに加えて、送信データ記憶部３０３の別の領域に記憶されている展示物の詳細データを読み出し、図１７で示すように、展示物の詳細データを生成してコントロールユニット２を制御して、情報ユニット３から出力させ、その処理は、ステップＳ１に戻る。
【０１２３】
ステップＳ１５において、取得データ検出部３２２は、展示物の詳細データが検出されたか否かを判定し、展示物の詳細データが送信されてくるまでその処理を繰り返す。例えば、ステップＳ５の処理により、ＰＣサーバ１のデータ送信制御部３０２が、コントロールユニット２を制御して、展示物の詳細データを送信すると、取得データ解析部３２２により展示物の詳細なデータが検出されたと判定され、その処理は、ステップＳ１６に進む。
【０１２４】
ステップＳ１６において、取得データ解析部３２２は、検出された展示物の詳細データをデータ統合部３２５に出力する。ステップＳ１７において、データ統合部３２５は、画像記録部３２１より入力される撮像された展示物の静止画像、取得データ解析部３２２より入力される出展者データ、および、展示物の詳細データを、図１８で示したようにｈｔｍｌ形式のファイルに統合して、統合データ記憶部３２６に記憶させる。
【０１２５】
このようにデータ交換処理を行うことで、ステップＳ１１において、操作部２３が操作されると、そのタイミングで、携帯端末１１では、ＰＣサーバ１の情報ユニット３から送信されてくる出展者データを取得すると共に、ステップＳ１４の処理により、情報ユニット１２が個人データをＰＣサーバ１のＩＤ認識カメラ４に向けて出力する。この処理により、ステップＳ４において、取得データ解析部３０１において個人データがデータベース３０１ａに蓄積される。さらに、ＰＣサーバ１は、個人データを取得すると、その個人データを送信してきた携帯端末１１に向けて、展示物の詳細データを送信する。
【０１２６】
結果として、見学者が自らの携帯端末１１で興味のある展示物の静止画像を撮像するために操作部２３を操作するだけで、出展者は、自らの出展した展示物に関心を示す見学者の個人データを取得して、蓄積させることができ、さらに、見学者は、携帯端末１１によりＰＣサーバ１から送信されてくる展示物の詳細データを取得することができるので、出展者、および、見学者に双方にメリットのあるデータ交換が、スムーズに行われるようになる。
【０１２７】
次に、携帯端末１１が、ＰＣサーバ１などから予め図２１で示すような展示会場の地図データの配布を受け、この地図データに統合データに対応するアイコンを表示させ、さらにそのアイコンが操作されたときに、対応する展示物の詳細データを表示させる処理について説明する。
【０１２８】
図２１は、表示制御部３２７が、取得データ解析部３２２により取得された地図データを表示させたときの状態を示している。図中左から出展者であるＡ社乃至Ｊ社のブースの配置が示されている。また、各ブースを示す左上の数値は、各出展者を識別する展示ＩＤである。すなわち、Ａ社の展示ＩＤは、「０１」、Ｂ社の展示ＩＤは、「０２」、Ｃ社の展示ＩＤは、「０３」、Ｄ社の展示ＩＤは、「０４」、Ｅ社の展示ＩＤは、「０５」、Ｆ社の展示ＩＤは、「０６」、Ｇ社の展示ＩＤは、「０７」、Ｈ社の展示ＩＤは、「０８」、Ｉ社の展示ＩＤは、「０９」、Ｊ社の展示ＩＤは、「１０」であることがそれぞれ示されている。
【０１２９】
表示制御部３２７は、この地図データに対して、図２２で示すように、各出展者のブースを示す範囲に、統合データのファイルに対応したアイコンを表示させる。図２２においては、展示ＩＤが「０６」のＦ社のブースに、アイコン３５１−１乃至３５１−３の３個のアイコンが表示されている。表示制御部３２７は、これらのアイコンが操作部２３により操作されると、そこにリンクされている統合データを統合データ記憶部３２６から読み出し、例えば、上述の図１８で示すようなｈｔｍｌファイルがリンクされていた場合、表示部２２に図２３で示すように展示物のデータを表示させる。
【０１３０】
次に、図２４のフローチャートを参照して、ＰＣサーバ１による地図データの配信と、携帯端末１１による地図データの受信処理について説明する。
【０１３１】
ステップＳ３１において、データ送信制御部３０２は、送信データ記憶部３０３に記憶されている、予め記憶されている展示会場の地図データを読み出して、コントロールユニット２を制御して、情報ユニット３から送信させ、この処理を繰り返す。
【０１３２】
ステップＳ４１において、携帯端末１１の取得データ解析部３２２は、ＩＤ認識カメラ２１により情報ユニット３が撮像されることにより検出されるＩＤデータを解析して、地図データを取得すると共に、自らのメモリ３２２ａに記憶する。
【０１３３】
この処理により、地図データが携帯端末１１に取得される。尚、地図データは、展示会場に存在する全ての出展者のＰＣサーバ１の情報ユニット３から常時出力されるようにして、展示会場を訪れた全ての見学者の携帯端末１１で取得できるようにしてもよい。
【０１３４】
次に、図２５のフローチャートを参照して、地図データ表示処理について説明する。
【０１３５】
ステップＳ５１において、表示制御部３２７は、操作部２３が見学者により操作されて地図データの表示が指示されたか否かを判定し、地図データの表示が指示されるまでその処理を繰り返す。例えば、操作部２３が見学者により操作されて地図データの表示が指示されると、地図データの表示が指示されたと判定され、その処理は、ステップＳ５２に進む。
【０１３６】
ステップＳ５２において、表示制御部３２７は、取得データ解析部３２２のメモリ３２２ａに、図２４の処理により取得された地図データを読み出し、例えば、図１８で示すように、表示部２２に表示させる。
【０１３７】
ステップＳ５３において、表示制御部３２７は、例えば、図２２で示すように地図データの展示ＩＤの位置に対応するように、図２０のフローチャートの処理により統合データ記憶部３２６に記憶された統合データに対応したアイコンを表示させる。
【０１３８】
ステップＳ５４において、表示制御部３２７は、いずれかのアイコンが操作部２３により選択されたか否かを判定し、例えば、いずれかのアイコンが選択された場合、その処理は、ステップＳ５５に進む。
【０１３９】
ステップＳ５５において、表示制御部３２７は、選択されたアイコンに対応する統合データを統合データ記憶部３２６より読み出し、例えば、図２３で示すように、表示部２２に表示させる。
【０１４０】
ステップＳ５６において、表示制御部３２７は、統合データの表示の終了が指示されたか否かを判定し、統合データの表示の終了が指示されるまでその処理を繰り返し、終了が指示された場合、その処理は、ステップＳ５４に戻る。
【０１４１】
ステップＳ５４において、アイコンが選択されなかった場合、ステップＳ５７において、表示制御部３２７は、地図データの表示の終了が指示されたか否かを判定し、地図データの終了が指示されていないと判定された場合、その処理は、ステップＳ５４に戻り、アイコンが選択されるまで、ステップＳ５４，Ｓ５７の処理が繰り返される。そして、ステップＳ５７において、地図データの表示の終了が指示されたと判定されると、地図データの表示処理が終了される。
【０１４２】
以上の処理により、見学者は、展示会場で撮像した展示物の静止画像や詳細データの整理が容易になると共に、展示会場で、この地図データの表示を見ることにより、見学した展示物を地図データに基づいて確認することができるので、同じ展示物の２度以上の見学や、見学を希望していたのに見学し忘れてしまうといったことを防止することが可能となる。
【０１４３】
さらに、見学者の個人データに加えて、アンケートなどの情報を取得した場合、図２６で示すように、出展者データにアンケートフォームを添付して送信し、さらに、図２７で示すように、個人データにアンケートフォームの応答を添付するようにさせるようにしても良い。
【０１４４】
次に、図２８のフローチャートを参照して、上述の図２６で示した出展者データと、図２７で示した個人データを用いた場合のデータ交換処理について説明する。尚、図２８のフローチャートのステップＳ７２，Ｓ７３，Ｓ７５、および、ステップＳ９１乃至Ｓ９２，Ｓ９６乃至Ｓ９８の処理は、図２０のステップＳ２，Ｓ３，Ｓ５、および、ステップＳ１１，Ｓ１２，Ｓ１４乃至Ｓ１７の処理と同様であるので、その説明は省略する。
【０１４５】
ステップＳ７１において、データ送信制御部３０２は、送信データ記憶部３０３に予め記憶されている、図２７で示した出展者データを読み出して、コントロールユニット２を制御して、情報ユニット３から送信させる。
【０１４６】
ステップＳ９３において、表示制御部３２７は、取得データ解析部３２２は、ＩＤデータを解析し出展者データを取得し、さらに、表示制御部３２７がアンケートフォームを表示部２２に表示する。
【０１４７】
ステップＳ９４において、データ送信制御部３２３は、アンケートフォームに入力処理がなされたか否かを判定し、入力が完了するまでその処理を繰り返し、アンケートフォームに入力処理がなされたと判定された場合、その処理は、ステップＳ９５に進む。
【０１４８】
ステップＳ９５において、データ送信制御部３２３は、入力処理がなされたアンケートフォームのデータ、出展者データの展示ＩＤ、送信データ記憶部３２４に記憶されている個人ＩＤ、ｅ−ｍａｉｌアドレス、および、会社名のデータから個人データを生成し、コントロールユニット２を制御して、情報ユニット３から出力させる。
【０１４９】
ステップＳ７４において、取得データ解析部３０１は、取得したアンケートフォームを含む、図２７で示した個人データを内蔵するデータベース３０１ａに記憶させ、さらに、個人データをデータ送信制御部３０２に出力する。
【０１５０】
以上の処理により、出展者のＰＣサーバ１は、見学者の個人データとして、アンケートの情報をも取得することが可能となる。
【０１５１】
以上の例においては、出展者データ、個人データ、および、展示物の詳細データが、ＰＣサーバ１の情報ユニット３、および、ＩＤ認識カメラ４、並びに、携帯端末１１の情報ユニット１２、および、ＩＤ認識カメラ２１を介して授受されていたが、例えば、相互に無線ＬＡＮの通信設備を設けて、ＰＣサーバ１の情報ユニット３からＰＣサーバ１のＩＰアドレスを含めた出展者データを出力させ、さらに、携帯端末１１に、この出展者データをＩＤ認識カメラ２１を介して取得できるようにしても良い。
【０１５２】
図２９は、無線ＬＡＮを使用して展示物の詳細データを配信できるようにしたＰＣサーバ１の機能を説明する機能ブロック図である。尚、図中、図１３における場合と対応する部分については、同一の符号を付してあり、以下では、その説明は、適宜省略する。また、基本的な機能は、同一であるので、同一名称の部位については、その差分のみを説明する。
【０１５３】
データ通信制御部３７１は、図１３のデータ送信制御部３０２の機能に加えて、送信データ制御部３７３に記憶されているデータに基づいて、図３０で示すように、展示ＩＤ、出展者名、自らのＩＰアドレス、および、アンケートフォームのデータから、出展者データを生成し、コントロールユニット２を制御して、情報ユニット３から出力させる。また、無線ＬＡＮ通信部３７２は、データ送信制御部３７１により制御され、図３１で示す携帯端末１１の無線ＬＡＮ通信部３８３との通信を確立し、展示物の詳細データを配信する。
【０１５４】
図３１は、無線ＬＡＮを使用して、展示物の詳細データを受信できるようにした携帯端末１１の機能を説明する機能ブロック図である。尚、図中、図１４における場合と対応する部分については、同一の符号を付してあり、以下では、その説明は、適宜省略する。また、基本的な機能は、同一であるので、同一名称の部位については、その差分のみを説明する。
【０１５５】
データ通信制御部３８１は、取得データ解析部３８２により取得された図３０で示す出展者データに含まれるＩＰアドレスに基づいて、無線ＬＡＮ通信部３８３を制御してＰＣサーバ１との通信を確立させる。また、データ通信制御部３８１は、無線ＬＡＮ通信部３８３を介して個人データをＰＣサーバ１に送信する。無線ＬＡＮ通信部３８３は、ＰＣサーバ１の無線ＬＡＮ通信部３７２との通信を確立し、送信されてくる展示物の詳細データを受信し、データ統合部３８４に出力する。データ統合部３８４は、画像記録部３２１からの静止画像データ、取得データ解析部３８２からの出展者データ、および、無線ＬＡＮ通信部３８３を介して入力された展示物５の詳細データを統合し、統合データとして統合データ記憶部３２６に記憶させる。
【０１５６】
次に、図３２のフローチャートを参照して、図２９のＰＣサーバ１と図３１の携帯端末１１によるデータ交換処理について説明する。尚、図３２のステップＳ１１３，Ｓ１１４、および、ステップＳ１３１乃至Ｓ１３４、Ｓ１３６乃至Ｓ１３８の処理は、図２８のフローチャートのステップＳ７３，Ｓ７４、および、ステップＳ９１乃至Ｓ９４，Ｓ９６乃至Ｓ９８の処理と同様であるので、その説明は省略する。
【０１５７】
ステップＳ１１１において、データ送信制御部３７１は、送信データ記憶部３７３に予め記憶されている、図３０で示した出展者データを読み出して、コントロールユニット２を制御して、情報ユニット３から送信させる。
【０１５８】
ステップＳ１３５において、データ通信制御部３８１は、出展者データに含まれているＩＰアドレスの情報に基づいて、無線ＬＡＮ通信部３８３を制御し、個人データをＰＣサーバ１に送信する。
【０１５９】
ステップＳ１１２において、ＰＣサーバ１のデータ通信制御部３７１は、無線ＬＡＮ通信部３７２を制御して、携帯端末１１の無線ＬＡＮ通信部３８３との通信を確立する。
【０１６０】
より詳細には、ステップＳ１３５において、データ通信制御部３８１は、無線ＬＡＮ通信部３８３を制御し、出展者データに含まれているＩＰアドレスの情報に基づいて、自らのＩＰアドレスの情報をＰＣサーバ１に送信し、ステップＳ１１２において、ＰＣサーバ１の無線ＬＡＮ通信部３７２との通信を確立し、個人データをＰＣサーバ１に送信する。
【０１６１】
ステップＳ１１５において、データ送信制御部３７１は、無線ＬＡＮ通信部３７２を制御して、個人データに対応する相手となる携帯端末１１に、送信データ記憶部３７３に記憶されている展示物５の詳細データを送信する。
【０１６２】
以上の処理により、出展者は、無線ＬＡＮを介して、自らの展示物５に興味を示す見学者の個人データを取得することができ、見学者は、無線ＬＡＮを介して、自らが興味を持った展示物の詳細データを取得することが可能となる。また、展示物の詳細データをＬＡＮにより取得することができるので、ＩＤ認識カメラ２１により、情報ユニット３を常に撮像した状態でなくても、展示物の詳細データの配信を受けることができるので、例えば、展示物の詳細データをストリームデータとして配信することも可能となる。
【０１６３】
また、以上の例においては、出展者の展示物が１個である場合について説明してきたが、複数の展示物であってもよい。ただし。この場合、情報ユニット３が複数に必要となる。
【０１６４】
上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行させることが可能な、例えば汎用のパーソナルコンピュータなどに記録媒体からインストールされる。
【０１６５】
この記録媒体は、図２，図３に示すようにＰＣサーバ１、携帯端末１１に予め組み込まれた状態でユーザに提供される、プログラムが記録されている記憶部３８，７６だけではなく、コンピュータとは別に、ユーザにプログラムを提供するために配布される、プログラムが記録されている磁気ディスク５１，９１（フレキシブルディスクを含む）、光ディスク５２，９２（ＣＤ−ＲＯＭ（Ｃｏｍｐａｃｔ　Ｄｉｓｋ−Ｒｅａｄ　Ｏｎｌｙ　Ｍｅｍｏｒｙ），ＤＶＤ（Ｄｉｇｉｔａｌ　Ｖｅｒｓａｔｉｌｅ　Ｄｉｓｋ）を含む）、光磁気ディスク５３，９３（ＭＤ（Ｍｉｎｉ−Ｄｉｓｃ）（登録商標）を含む）、もしくは半導体メモリ５４，９４（Ｍｅｍｏｒｙ　Ｓｔｉｃｋを含む）などよりなるパッケージメディアにより構成される。
【０１６６】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【０１６７】
また、本明細書において、システムとは、複数の装置により構成される装置全体を表すものである。
【０１６８】
【発明の効果】
本発明によれば、展示会などで見学者により展示物を撮像する操作がなされるだけで、出展者は、自らの展示物に興味を示した見学者の個人データを取得することが可能となり、見学者は、個人データと引き換えに展示物の詳細データを取得することが可能となる。
【図面の簡単な説明】
【図１】本発明を適用した情報配信システムの一実施の形態の構成を示す図である。
【図２】図１のＰＣサーバの構成を示すブロック図である。
【図３】図１の携帯端末の構成を示すブロック図である。
【図４】図２のＩＤ認識カメラのブロック図である。
【図５】図４の画像デコード処理部のブロック図である。
【図６】図４のＩＤデコード処理部のブロック図である。
【図７】図１の光ビーコンのブロック図である。
【図８】図１の光ビーコンのブロック図である。
【図９】ＩＤ認識カメラの動作を説明する図である。
【図１０】ＩＤ認識カメラが画像信号を生成する動作を説明する図である。
【図１１】ＩＤ認識カメラが画像信号を生成する動作を説明する図である。
【図１２】ＩＤ認識カメラが点滅パターンをデコードする動作を説明する図である。
【図１３】図１のＰＣサーバの機能を説明する機能ブロック図である。
【図１４】図１の携帯端末の機能を説明する機能ブロック図である。
【図１５】出展者データを説明する図である。
【図１６】個人データを説明する図である。
【図１７】展示物の詳細データを説明する図である。
【図１８】展示物の詳細データの統合処理を説明する図である。
【図１９】展示物の詳細データの統合データの表示例を示す図である。
【図２０】データ交換処理を説明するフローチャートである。
【図２１】地図データの表示例を示す図である。
【図２２】地図データの表示例を示す図である。
【図２３】展示物の詳細データの統合データの表示例を示す図である。
【図２４】地図データ配信処理を説明するフローチャートである。
【図２５】地図データ表示処理を説明するフローチャートである。
【図２６】出展者データを説明する図である。
【図２７】個人データを説明する図である。
【図２８】データ交換処理を説明するフローチャートである。
【図２９】図１のＰＣサーバの機能のその他の例を説明する機能ブロック図である。
【図３０】出展者データを説明する図である。
【図３１】図１の携帯端末の機能のその他の例を説明する機能ブロック図である。
【図３２】データ交換処理を説明するフローチャートである。
【符号の説明】
１　ＰＣサーバ，　２　コントロールユニット，　３　情報ユニット，　６，６−１乃至６−６　光ビーコン，　１１　携帯端末，　１２　情報ユニット，　２１　ＩＤ認識カメラ，　２２　表示部，　２３　操作部，　３０１　取得データ解析部，　３０１ａ　データベース，　３０２　データ送信制御部，　３０３　送信データ記憶部，　３２１　画像記録部，　３２２　取得データ解析部，　３２２ａ　メモリ，　３２３　データ送信制御部，　３２４　送信データ記憶部，　３２５　データ統合部，　３２６　統合データ記憶部，　３２７　表示制御部，３７１　データ送信制御部，　３７２　無線ＬＡＮ通信部，　３７３　送信データ記憶部，　３８１　データ送信通信部，　３８２　取得データ解析部，　３８２ａ　メモリ，　３８３　無線ＬＡＮ通信部，　３８４　データ統合部，　３８５表示制御部
【図１】
2004015448.tif 000003
【図２】
2004015448.tif 000004
【図３】
2004015448.tif 000005
【図４】
2004015448.tif 000006
【図５】
2004015448.tif 000007
【図６】
2004015448.tif 000008
【図７】
2004015448.tif 000009
【図８】
2004015448.tif 000010
【図９】
2004015448.tif 000011
【図１０】
2004015448.tif 000012
【図１１】
2004015448.tif 000013
【図１２】
2004015448.tif 000014
【図１３】
2004015448.tif 000015
【図１４】
2004015448.tif 000016
【図１５】
2004015448.tif 000017
【図１６】
2004015448.tif 000018
【図１７】
2004015448.tif 000019
【図１８】
2004015448.tif 000020
【図１９】
2004015448.tif 000021
【図２０】
2004015448.tif 000022
【図２１】
2004015448.tif 000023
【図２２】
2004015448.tif 000024
【図２３】
2004015448.tif 000025
【図２４】
2004015448.tif 000026
【図２５】
2004015448.tif 000027
【図２６】
2004015448.tif 000028
【図２７】
2004015448.tif 000029
【図２８】
2004015448.tif 000030
【図２９】
2004015448.tif 000031
【図３０】
2004015448.tif 000032
【図３１】
2004015448.tif 000033
【図３２】
2004015448.tif 000034